(57)【要約】【課題】データエラーレートとＬＰＰ強度を良好で安定なものとすることができる光情報記録媒体を提供する。【解決手段】蛇行したグルーブ及びランドを有し、当該ランド上に予め設けられたエンボスドピット（ランドプリピット）を有する円盤状の光情報記録媒体であって、当該ランドプリピットの左右方向にリムが残存し、当該ランドプリピットの半値幅をＷ、一方の残存リム幅をｒ１、他方の残存リム幅をｒ２とするとき、これらの関係が、０．２５≦（ｒ１＋ｒ２）／Ｗ≦１．５、の関係を満たすことを特徴とする光情報記録媒体。【選択図】　図１
2004046998.tif 000002
【特許請求の範囲】
【請求項１】
蛇行したグルーブ及びランドを有し、当該ランド上に予め設けられたランドプリピットを有する円盤状の光情報記録媒体であって、当該ランドプリピットの左右方向にリムが残存し、当該ランドプリピットの半値幅をＷ、一方の残存リム幅をｒ１、他方の残存リム幅をｒ２とするとき、これらの関係が
０．２５≦（ｒ１＋ｒ２）／Ｗ≦１．５
の関係を満たすことを特徴とする光情報記録媒体。
【請求項２】
請求項１に記載の光情報記録媒体であって、前記ランドプリピットの長さが２５０ｎｍ〜３５０ｎｍであることを特徴とする光情報記録媒体。
【請求項３】
請求項１又は請求項２に記載の光情報記録媒体を製造するためのスタンパーであって、当該スタンパーを使用して光情報記録媒体の成形を行った場合に、それぞれ請求項１又は請求項２に記載されるような光情報記録媒体のグルーブ及びエンボスドピットの寸法及び形状が得られるような凹凸が、その表面に形成されていることを特徴とするスタンパー。
【発明の詳細な説明】
【０００１】
【発明の属する技術分野】
本発明はＤＶＤ−Ｒ、ＤＶＤ−ＲＷ等に代表される光ディスクのように、蛇行したグルーブ及びランドを有し、当該ランド上に予め設けられたエンボスドピットを有する円盤状の光情報記録媒体、及びそれらを製造するためのスタンパーに関するものである。
【０００２】
【従来の技術】
光ディスク、光磁気ディスク等の光情報記録媒体は、従来、データ記録媒体、音声情報記録媒体として広く使用されてきたが、最近ではこれらに加え、ＣＤ−Ｒ、ＣＤ−ＲＷ、ＤＶＤ−Ｒ、ＤＶＤ−ＲＷ等が使用されるようになってきている。これらの光情報記録媒体においては、円盤状の記録媒体の表面に設けられた微細なピット等のマークによる反射率の変化、または円盤状の記録媒体の表面に設けられた皮膜の磁気による性質の変化を情報として利用し、光学的手段を利用することにより情報の記録を行っている。
【０００３】
このような方式の光情報記録媒体に関する用語の意味については、その一部がＪＩＳ　Ｘ　６２６１「１３０ｍｍ追記型光ディスクカートリッジ」、ＪＩＳ　６２７１「１３０ｍｍ書換型光ディスクカートリッジ」に記載されているので、本明細書においては、これらに記載されている用語については、特に断らない限り、これらに記載されている意味に使用するものとする。
【０００４】
これらの光情報記録媒体においては、蛇行したグルーブとランドが螺旋状に交互に設けられており、通常はグルーブ上に情報が書き込まれる。また、グルーブとランドは、光検出器を情報が書き込まれているゾーンに沿って走行させる位置制御すなわちトラッキングを行うための位置検出のために用いられる。すなわち、光が照射される位置がグルーブまたはランドのどの位置にあたるかによって反射光の強さが異なるので、位置制御装置はその信号を受けて、光検出器の位置を制御し、情報が書き込まれている位置に正確に光が照射されるような制御を行う。
【０００５】
また、これらの光情報記録媒体のうち、記録可能なＤＶＤ（ＤＶＤ−Ｒ、ＤＶＤ−ＲＷ）においては、ＤＶＤブックと称する規格が定められており、それによると、円盤状の光情報記録媒体（以下、単に「ディスク」と称することがある。）のスパイラル状の蛇行グルーブに隣接するランド部にランドプリピット（ＬＰＰ）と呼ばれるプリエンボスドピットが規則的に配列されている。
【０００６】
ＬＰＰには、ディスクのアドレス情報、ディスクの製造者情報、ディスク書きこみ情報等の光情報記録媒体に情報を記録したり光情報記録媒体から情報を読み取ったりするときに、記録装置や記録再生装置等に与える制御情報が予め埋め込まれている。
【０００７】
記録再生装置は、ひとつの光スポットによってＤＶＤ−Ｒディスク又はＤＶＤ−ＲＷディスクのグルーブ領域にトラッキングをかけながらグルーブ領域に情報を記録したり又は再生したりすると共に、同時に隣接するランドプリピット信号を再生し、必要な情報を読み取っている。
【０００８】
たとえば、ＤＶＤ−Ｒディスクの場合では、記録時にはグルーブにトラッキングをかけながら、光スポットで記録マークを書き込み、同時にランドプリピットのアドレス情報等を再生している。
また記録済みのＤＶＤ―Ｒディスクを記録再生装置で再生する場合は、グルーブ領域に記録された記録ピットのみを再生する。
【０００９】
【発明が解決しようとする課題】
ところで形成されるランドプリピットの中心位置は、記録領域であるグルーブ中心位置からの距離が、トラックピッチである０．７４μｍの約１／２程度と僅かしか離れていない。つまり、ＤＶＤ−Ｒ記録／再生装置は、非常に狭い領域内において、ランドプリピット信号を再生しながらアドレス情報等を取得し、かつ、同時にグルーブをトラッキングして記録／再生動作を実施している。
【００１０】
現在ＤＶＤ−Ｒディスクが市場に多く出始め、多くのメーカーにおいて製品化されるようになってきたが、ディスク特性のうちで記録データの品質を決めるデータエラーレートとアドレス情報の読み取り品質を決めるＬＰＰの信号強度は非常に基本的かつ重要な特性である。
【００１１】
データエラーレートとＬＰＰの信号強度は、ＤＶＤ−Ｒディスクの物理的構成である、基板材料、成形基板の形状品質、有機色素の品質、反射膜、その他の物理構成の状況により左右される。しかしながら、これら、種々ある物理構成のうち、何が支配的にデータエラーレートとＬＰＰの信号強度を左右し、どのようなパラメータをどの程度の範囲に収めると良好なデータエラーレートとＬＰＰの信号強度が得られるかは分かっていなかった。
【００１２】
本発明はこのような事情に鑑みてなされたもので、特定のパラメータを所定範囲に保つことにより、蛇行したグルーブ及びランドを有し、当該ランド上に予め設けられたエンボスドピットを有する円盤状の光情報記録媒体であって、データエラーレートとＬＰＰの信号強度を良好で安定なものとすることができる光情報記録媒体、及びそれらを製造するためのスタンパーを提供することを課題とする。
【００１３】
【課題を解決するための手段】
前記課題を解決するための第１の手段は、蛇行したグルーブ及びランドを有し、当該ランド上に予め設けられたランドプリピットを有する円盤状の光情報記録媒体であって、当該ランドプリピットの左右方向にリムが残存し、当該ランドプリピットの半値幅をＷ、一方の残存リム幅をｒ１、他方の残存リム幅をｒ２とするとき、これらの関係が
０．２５≦（ｒ１＋ｒ２）／Ｗ≦１．５
の関係を満たすことを特徴とする光情報記録媒体（請求項１）である。
【００１４】
また、前記課題を解決するための第２の手段は、前記第１の手段であって、前記ランドプリピットの長さが２５０ｎｍ〜３５０ｎｍであることを特徴とするもの（請求項２）である。
【００１５】
なお、本明細書中において「ランドプリピットの長さ」とは、ランドの長さ方向の長さ、「ランドプリピット幅」とは、ランドの長さ方向に対して直角な方向、すなわちランドの幅方向の長さを意味し、いずれも半値幅で示すものとする。なお、「半値幅」とは、深さが全体の深さの１／２の場所での幅を意味する。
【００１６】
本発明者等がデータエラーレートとＬＰＰの信号強度を良好で安定なものとする方法について、詳細に鋭意研究した結果、成形基板の形状品質が特に重要であると判断し、特にＬＬＰの形状に注目した。
【００１７】
ＤＶＤ−Ｒディスクでは、レーザー光を、有機色素などを塗布したグルーブ面に照射し、基板の変形を利用してデータを記録する。そして、再生装置により記録されたデータを読み取るが、再生信号を読み取る際に、ランドプリピット信号がデータ再生信号に漏れ込んでしまい（ＬＰＰ信号クロストーク）データ再生エラーレートが悪化してしまうことが大きな問題となる。これは規格上データを再生するグルーブのわずか約０．３μｍ隣にランドプリピットというマークが存在するためである。
【００１８】
すなわち、ＤＶＤ−Ｒ、ＤＶＤ―ＲＷディスクのような情報記録媒体においては、アドレス情報を記録したＬＰＰと、データを記録するグルーブ領域が非常に接近しているため（逆に接近しているためアドレス情報を再生しながらデータを記録、再生できるのであるが）、再生の際、それぞれの信号が干渉することが問題となるのである。以下、これらの事項について、発明者等が行った実験データに基づいて説明する。なお、これらのデータは、トラックピッチ７４０ｎｍ、グルーブ深さ１６５ｎｍ、グルーブ幅３００±３０（半値幅）ｎｍ、ランド幅４４０±３０ｎｍ、グルーブ斜面傾斜角６５°のディスクについてのものであるが、規格ＤＶＤ−ｒｅｃｏｒｄａｂｌｅのディスクについて汎用性のあるものである。
【００１９】
図１に、以下に使用する各寸法に対応する部分を図示する。図１において１はランド、２はグルーブ、３はＬＬＰである。ＬＬＰの長さはａに対応し、幅（半値幅）はＷに対応する。ＬＬＰのオフセット量はランド中心とＬＬＰ中心のずれ量に対応し、図ではｃに対応する。リムの幅はｒ１、ｒ２に対応する。
【００２０】
図２に、ＬＰＰのリムの残存率とＬＰＰのアドレス認識エラーレート（アドレス読み取り誤り率）との関係の例を示す。リムとは、ランドにおいて、ＬＬＰの接線方向（すなわちランドの長さ方向に直角な方向）に、ＬＬＰが形成されずに残存しているランド部のことであり、ランドの進行方向に向かって、ＬＬＰの左右に存在する。このリムの、ＬＬＰの接線方向の幅をリムの残存リム幅と称する。図２において、ｒ１は左右の一方のリムの残存リム幅、ｒ２は他方のリムの残存リム幅をいう。ＬＬＰ幅とは、前述のとおり半値幅であり、この値をＷとする。
【００２１】
図２を見ると、（ｒ１＋ｒ２）／Ｗが１．５を超えるとアドレス読み取り誤り率が急激に増加し始める反面、（ｒ１＋ｒ２）／Ｗ≦１．５の範囲では、アドレス読み取り誤り率が安定して低い値に保たれていることが分かる。これは、リム残存幅とＬＬＰ半値幅の比が大きくなると、すなわち、ランド幅に占めるＬＬＰ幅が小さくなると、アドレス信号が小さくなるためであると考えられる。このため、本手段においては（ｒ１＋ｒ２）／Ｗの値を１．５以下に限定する。なお、図２においてプロットされている値は、左から順に、１．１、１．２、１．３、１．４、１．５、１．６、１．７、１．８、１．９、２．０である。
【００２２】
一方、図３に、ＬＰＰのリムの残存率と記録データのデータ領域エラー（ランダム再生信号エラー、ＰＩエラー）との関係の例を示す。ｒ１、ｒ２、ＬＬＰ半値幅（Ｗ）の意味は図２と同じである。図３を見ると分かるように、ＰＩエラーは、（ｒ１＋ｒ２）／Ｗ＜０．２５となると急激に増加し始めるが、０．２５≦（ｒ１＋ｒ２）／Ｗの範囲では安定して低い値に保たれていることが分かる。これは、リム残存幅とＬＬＰ半値幅の比が小さくなると、すなわち、ランド幅に占めるＬＬＰ幅が大きくなると、再生信号を読み取る際に、ランドプリピット信号がデータ再生信号に漏れ込んでしまい（ＬＰＰ信号クロストーク）、データ再生エラーレートが悪化してしまうためであると考えられる。これより、本手段においては、（ｒ１＋ｒ２）／Ｗの範囲を０．２５以上に限定する。なお、図３においてプロットされているデータは、左から０．１、０．２、０．２５、０．３、０．４、０．５、０．６、０．７、０．８、０．８、１．０である。
【００２３】
以上のことから、ＬＰＰのアドレス誤り率、記録データ再生信号エラーの２特性を向上させるためには、０．２５≦（ｒ１＋ｒ２）／Ｗ≦１．５となっている必要があることが分かる。
【００２４】
図４に、ＬＰＰの長さ（半値幅）と、アドレス認識エラーレート（ＬＰＰのアドレス読み取り誤り率）との関係の例を示す。図４に示す通りＬＬＰの長さが増大するにアドレス認識エラーレートは低下する。これは、アドレスピットの長さが大きくなれば、信号強度（信号変調度）が大きく取れ、そのためエラーレートも低下するためであると考えられる。
【００２５】
特に注目すべきは、ＬＬＰの長さが２５０ｎｍ未満となった場合、エラーレートが急激に増加する半面、ＬＬＰの長さが２５０ｎｍ以上となると、エラーレートの低下はほぼ飽和することである。よって、本手段においては、ＬＬＰの長さを２５０ｎｍ以上に限定する。なお、図４において、プロットされている点の横軸の値は、左から６０、１１０、１５２、２０２、２４８、３０６、３５８、４０２、４５８である。
【００２６】
一方、ＬＰＰの長さ（半値幅）と記録データのデータ領域エラー（ランダム再生信号エラー、ＰＩエラー）との関係の例を図５に示す。図に示すとおり、ＬＰＰの長さが小さくなるに従いＰＩエラーは低下する。これはＬＬＰの長さが大きくなると、記録データの再生時に、そのすぐ近傍にあるＬＰＰのアドレス信号が記録データに漏れ込むためであると考えられる。すなわちグルーブに記録されたデータピットを再生する際には、隣接するＬＰＰの再生信号の漏れ込み信号はできるだけ小さい方が望ましい。
【００２７】
特に注目すべきは、ＰＩエラーは、ＬＬＰ長さが３５０ｎｍを超えると急激に増加し始める半面、ＬＬＰ長さが３５０ｎｍ以下となると、その低下率はほぼ飽和することである。よって、本手段においては、ＬＬＰの長さを３５０μｍ以下に限定する。なお、図５において、プロットされている点の横軸の値は、左から６０、１１０、１５２、２０２、２４８、３０６、３５８、４０２、４５８である。
【００２８】
以上のことから、ＬＰＰのアドレス誤り率、記録データ再生信号エラーの２特性を向上させるためにはＬＰＰの半径方向長さが２５０ｎｍ〜３５０ｎｍとなっている必要があることが分かる。
【００２９】
前記課題を解決するための第３の手段は、前記第１の手段又は第２の手段である光情報記録媒体を製造するためのスタンパーであって、その表面に、当該スタンパーを使用して光情報記録媒体の成形を行った場合に、それぞれ前記第１の手段又は第２の手段に記載されるような光情報記録媒体のグルーブ及びエンボスドピットの寸法及び形状が得られるような凹凸が形成されていることを特徴とするもの（請求項３）である。
【００３０】
本手段によれば、スタンパーを用いて効率良く、前記第１の手段又は第２の手段であるスタンパーを製造することができる。
【００３１】
【実施例】
＜実施例１＞
本発明に係るＤＶＤ−Ｒディスクを製造した。最初に、外径２００ｍｍ、厚さ６ｍｍの精密洗浄されたガラス原盤を準備し、この表面にプライマーを塗布した後にポジ型フォトレジスト（シプレイ社製：Ｓ１８１８）をスピンコートし、１００℃のホットプレート上で１０分間プリベークした。この工程によりコーティング厚さ１７５ｎｍのコーティング原盤が完成した。
【００３２】
次いで、コーティング原盤を、２ビームレーザーを搭載したレーザーカッティングマシンにかけて、ウォブルドグルーブ及びランドプリピットを形成した。露光時は、３．５０ｍ／ｓｅｃのＣＬＶスピード、トラックピッチを０．７４５μｍとしてカッティングを行った。露光パワー及び露光スポット径は、ディスク完成時にグルーブとなる部分の半値幅が３００ｎｍとなり、グルーブの斜面角度が６５°となるように設定した。
【００３３】
ＬＰＰについては、露光パワー及び露光パルス長さを、ＬＬＰの長さがａ（接線方向長さ）＝３５０ｎｍ、Ｗ（半径方向長さ）＝２８０ｎｍになるように設定した。またグルーブ中心とＬＰＰ中心のずれ量が−１０ｎｍとなるように、露光位置を設定した。
【００３４】
そして、無機アルカリ現像液（シプレイ製デベロッパー）と超純水での希釈液、濃度２０％で現像しマスター原盤を完成させた。次に、このマスター原盤に導電化処理を施し、テクノトランス社製ニッケル電鋳装置によって電鋳後、マスター原盤から剥離し、さらに内径２２．０ｍｍ、外径１３８ｍｍの径に打ち抜きを施してニッケッルスタンパーを完成した。
【００３５】
このスタンパーを住友重機械工業社製射出成形装置にセットし、０．６ｍｍ厚さのポリカーボネート基板を作製した。ＡＦＭ（原子間力顕微鏡）にて形状を検査した結果、グルーブについては深さが１７０ｎｍ、斜面の角度が６５°、ミドル幅が２９０ｎｍとなっており、ＬＰＰについては深さが１７０ｎｍ、接線方向の長さが３４０ｎｍ、半径方向の長さ（ランドプリピットの半値幅）が２７０ｎｍとなっていた。またランド中心とＬＰＰの中心位置のずれは−１０ｎｍであった。したがって、（ｒ１＋ｒ２）／Ｗが０．６８である光ディスク用ポリカーボネート基板が作成できた。
【００３６】
ＤＶＤ−Ｒ製造ラインにより同基板にシアニンＤＹＥをスピンコートにより施し、反射膜をスパッタリングしさらに０．６ｍｍ厚の保護基板を貼り合わせ、ラッカーをコーティングすることにより、ブランクディスクを完成させた。
【００３７】
本実施例では、シアニン系の有機色素を用いたが、もちろんこれに限定されるだけではなく、アゾ、フタロシアニン等の有機色素、相変化方式の金属薄膜使用したＤＶＤ−ＲＷの場合にも応用できる。
【００３８】
本ブランクディスクをパルステック社製光ディスク評価装置ＤＤＵ−１０００にかけて未記録再生プッシュプル信号をケンウッド製ＬＰＰエラーカウンターＤＭＲ−に入力し、ＬＰＰエラーレートを測定した。その結果、ＬＬＰエラーレートは３×１０−５であり、十分ＤＶＤスペックを満足した。
また再生信号からＬＰＰの信号強度をオシロスコープで計測したところ、ＬＰＰｂの値として０．２７が得られた。
【００３９】
その後映像データをフォーマット信号に変換し、波長６５０ｎｍのレーザー光で本ブランクディスクに記録した。次にこのディスクをパルステック社製光ディスク評価装置ＤＤＵ−１０００にかけて、再生プッシュプル信号からＬＰＰの信号強度をオシロスコープで計測し、電圧値から得られた記録後のランダムエラーを全面測定した結果、ＰＩエラーは４５であり、また記録マークのジッタは７．２％であった。以上のようにＤＶＤスペックを十分満足した。
【００４０】
＜実施例２＞
本発明に係るＤＶＤ−Ｒディスクを製造した。最初に、実施例１と同様の方法でコーティング原盤を製造した。次いで、コーティング原盤を、２ビームレーザーを搭載したレーザーカッティングマシンにかけて、ウォブルドグルーブ及びランドプリピットを形成した。露光時は、３．５０ｍ／ｓｅｃのＣＬＶスピード、トラックピッチを０．７４５μｍとしてカッティングを行った。露光パワー及び露光スポット径は、グルーブの半値幅が３００ｎｍとなり、グルーブの斜面角度が６５°となるように設定した。
【００４１】
ＬＰＰについては、露光パワー及び露光パルス長さを、ＬＬＰの長さがａ（接線方向長さ）＝２５０ｎｍ、Ｗ（半径方向長さ）＝２００ｎｍになるように設定した。またランド中心とＬＰＰ中心のずれ量が−１０ｎｍとなるように、露光位置を設定した。以下、実施例１と同様な方法で、ニッケルスタンパーを完成した。
【００４２】
このスタンパーを住友重機械工業社製射出成形装置にセットし、０．６ｍｍ厚さのポリカーボネート基板を作製した。ＡＦＭ（原子間力顕微鏡）にて形状を検査した結果、グルーブについては深さが１７０ｎｍ、斜面の角度が６５°、ミドル幅が２９０ｎｍとなっており、ＬＰＰについては深さが１７０ｎｍ、接線方向の長さが２４５ｎｍ、半径方向の長さ（ランドプリピットの半値幅）が１９５ｎｍとなっていた。またグルーブ中心とＬＰＰの中心位置のずれは−１０ｎｍであった。従って、（ｒ１＋ｒ２）／Ｗが１．３３である光ディスク用ポリカーボネート基板が作成できた。
【００４３】
ＤＶＤ−Ｒ製造ラインにより同基板にシアニンＤＹＥをスピンコートにより施し、反射膜をスパッタリングしさらに０．６ｍｍ厚の保護基板を貼り合わせ、ラッカーをコーティングすることにより、ブランクディスクを完成させた。
【００４４】
本実施例では、シアニン系の有機色素を用いたが、もちろんこれに限定されるだけではなく、アゾ、フタロシアニン等の有機色素、相変化方式の金属薄膜使用したＤＶＤ−ＲＷの場合にも応用できる。
【００４５】
本ブランクディスクをパルステック社製光ディスク評価装置ＤＤＵ−１０００にかけて未記録再生プッシュプル信号をケンウッド製ＬＰＰエラーカウンターＤＭＲ−に入力し、ＬＰＰエラーレートを測定した。その結果、ＬＬＰエラーレートは２．８％であり、十分ＤＶＤスペックを満足した。
また再生信号からＬＰＰの信号強度をオシロスコープで計測したところ、ＬＰＰｂの値として０．２２が得られた。
【００４６】
その後映像データをフォーマット信号に変換し、波長６５０ｎｍのレーザー光で本ブランクディスクに記録した。次にこのディスクをパルステック社製光ディスク評価装置ＤＤＵ−１０００にかけて、再生プッシュプル信号からＬＰＰの信号強度をオシロスコープで計測し、電圧値から得られた記録後のランダムエラーを全面測定した結果、ＰＩエラーは３５であり、また記録マークのジッタは６．９％であった。以上のようにＤＶＤスペックを十分満足した。
【００４７】
＜実施例３＞
本発明に係るＤＶＤ−Ｒディスクを製造した。実施例１と同様の方法でコーティング原盤を製造したが、本実施例においては、コーティング厚さを１４５ｎｍとした。次いで、コーティング原盤を、２ビームレーザーを搭載したレーザーカッティングマシンにかけて、ウォブルドグルーブ及びランドプリピットを形成した。露光時は、３．５０ｍ／ｓｅｃのＣＬＶスピード、トラックピッチを０．７４５μｍとしてカッティングを行った。露光パワー及び露光スポット径は、グルーブの半値幅が３００ｎｍとなり、グルーブの斜面角度が６５°となるように設定した。
【００４８】
ＬＰＰについては、露光パワー及び露光パルス長さを、ＬＬＰの長さがａ（接線方向長さ）＝２５０ｎｍ、Ｗ（半径方向長さ）＝２００ｎｍになるように設定した。またグルーブ中心とＬＰＰ中心のずれ量が−１０ｎｍとなるように、露光位置を設定した。以下、実施例１と同様な方法で、ニッケルスタンパーを完成した。
【００４９】
このスタンパーを住友重機械工業社製射出成形装置にセットし、０．６ｍｍ厚さのポリカーボネート基板を作製した。ＡＦＭ（原子間力顕微鏡）にて形状を検査した結果、グルーブについては深さが１４０ｎｍ、斜面の角度が６５°、ミドル幅が２９０ｎｍとなっており、ＬＰＰについては深さが１４０ｎｍ、接線方向の長さが２４５ｎｍ、半径方向の長さ（ランドプリピットの半値幅）が１９５ｎｍとなっていた。またグルーブ中心とＬＰＰの中心位置のずれは−１０ｎｍであった。（ｒ１＋ｒ２）／Ｗの値は、実施例２と同様１．３３である。
【００５０】
ＤＶＤ−Ｒ製造ラインにより同基板にシアニンＤＹＥをスピンコートにより施し、反射膜をスパッタリングしさらに０．６ｍｍ厚の保護基板を貼り合わせ、ラッカーをコーティングすることにより、ブランクディスクを完成させた。
【００５１】
本実施例では、シアニン系の有機色素を用いたが、もちろんこれに限定されるだけではなく、アゾ、フタロシアニン等の有機色素、相変化方式の金属薄膜使用したＤＶＤ−ＲＷの場合にも応用できる。
【００５２】
本ブランクディスクをパルステック社製光ディスク評価装置ＤＤＵ−１０００にかけて未記録再生プッシュプル信号をケンウッド製ＬＰＰエラーカウンターＤＭＲ−に入力し、ＬＰＰエラーレートを測定した。その結果、ＬＬＰエラーレートは２．５％であり、十分ＤＶＤスペックを満足した。
また再生信号からＬＰＰの信号強度をオシロスコープで計測したところ、ＬＰＰｂの値として０．２１が得られた。
【００５３】
その後映像データをフォーマット信号に変換し、波長６５０ｎｍのレーザー光で本ブランクディスクに記録した。次にこのディスクをパルステック社製光ディスク評価装置ＤＤＵ−１０００にかけて、再生プッシュプル信号からＬＰＰの信号強度をオシロスコープで計測し、電圧値から得られた記録後のランダムエラーを全面測定した結果、ＰＩエラーは３５であり、また記録マークのジッタは６．９％であった。以上のようにＤＶＤスペックを十分満足した。
【００５４】
＜比較例＞
本発明の比較例であるＤＶＤ−Ｒディスクを製造した。最初に、実施例と同様の方法により、コーティング厚さ１７５ｎｍのコーティング原盤を作成した。
次いで、コーティング原盤２ビームレーザーを搭載したレーザーカッティングマシンでウォブルドグルーブを及びランドプリピットを形成した。
【００５５】
次いで、コーティング原盤を、２ビームレーザーを搭載したレーザーカッティングマシンにかけて、ウォブルドグルーブ及びランドプリピットを形成した。露光時は、３．５０ｍ／ｓｅｃのＣＬＶスピード、トラックピッチを０．７４５μｍとしてカッティングを行った。露光パワー及び露光スポット径は、グルーブの半値幅が３００ｎｍとなり、グルーブの斜面角度が６５°となるように設定した。これは実施例１と同じ条件である。
【００５６】
ＬＰＰについては、露光パワー及び露光パルス長さを、ＬＬＰの長さがａ（接線方向長さ）＝４００ｎｍ、Ｗ（半径方向長さ）＝３００ｎｍになるように設定した。またグルーブ中心とＬＰＰ中心のずれ量が−１０ｎｍとなるように、露光位置を設定した。すなわち、この比較例においては、ＬＬＰの接線方向長さが本発明の範囲を外れている。以下、実施例１と同様の方法でニッケッルスタンパーを完成した。
【００５７】
このスタンパーを住友重機械工業社製射出成形装置にセットし、０．６ｍｍ厚さのポリカーボネート基板を作製した。ＡＦＭ（原子間力顕微鏡）にて形状を検査した結果、グルーブについては深さが１７０ｎｍ、斜面の角度が６５°、ミドル幅が２９０ｎｍとなっており、ＬＰＰについては深さが１７０ｎｍ、接線方向の長さが３９０ｎｍ、半径方向の長さ（ランドプリピットの半値幅）が２９０ｎｍとなっていた。またグルーブ中心とＬＰＰの中心位置のずれは−１０ｎｍであった。以下、実施例と同様の方法によりブランクディスクを完成させた。従って、（ｒ１＋ｒ２）／Ｗの値は０．１８となっている。
【００５８】
本ブランクディスクをパルステック社製光ディスク評価装置ＤＤＵ−１０００にかけて未記録再生プッシュプル信号をケンウッド製ＬＰＰエラーカウンターＤＭＲ−に入力し、ＬＰＰエラーレートを測定した。その結果、ＬＬＰエラーレートは１．８％であり、十分ＤＶＤスペックを満足した。
また再生信号からＬＰＰの信号強度をオシロスコープで計測したところ、ＬＰＰｂの値として０．２８が得られた。
【００５９】
その後映像データをフォーマット信号に変換し、波長６５０ｎｍのレーザー光で本ブランクディスクに記録した。次にこのディスクをパルステック社製光ディスク評価装置ＤＤＵ−１０００にかけて、再生プッシュプル信号からＬＰＰの信号強度をオシロスコープで計測し、電圧値から得られた記録後のランダムエラーを全面測定した結果、ＰＩエラーは３５０であり、また記録マークのジッタは９．０％であった。これは、ＤＶＤブック規格から外れた値である。この理由は、ＬＰＰのからの信号クロストークにより、データ再生時のランダムエラーが増加してしまったためと推測される。
【００６０】
【発明の効果】
以上説明したように、本発明によれば、データエラーレートとＬＰＰの信号強度を良好で安定なものとすることができる光情報記録媒体、及びそれらを製造するためのスタンパーを提供することができる。
【図面の簡単な説明】
【図１】ＬＬＰ周りの寸法の定義を示す図である。
【図２】ＬＰＰのリムの残存率とＬＰＰのアドレス認識エラーレート（アドレス読み取り誤り率）との関係の例を示す図である。
【図３】ＬＰＰのリムの残存率と記録データのデータ領域エラー（ランダム再生信号エラー、ＰＩエラー）との関係の例を示す図である。
【図４】ＬＰＰの長さ（半値幅）と、アドレス認識エラーレート（ＬＰＰのアドレス読み取り誤り率）との関係の例を示す図である。
【図５】一方、ＬＰＰの長さ（半値幅）と記録データのデータ領域エラー（ランダム再生信号エラー、ＰＩエラー）との関係の例を示す図である。
【符号の説明】
１：ランド
２：グルーブ
３：ＬＬＰ
【図１】
2004046998.tif 000003
【図２】
2004046998.tif 000004
【図３】
2004046998.tif 000005
【図４】
2004046998.tif 000006
【図５】
2004046998.tif 000007